(57)【要約】【課題】太陽の光が充分に当たらない場所や狭小な建物の屋根等であっても、太陽の光を効率的に受光できる太陽電池パネル体を備えた、太陽光発電装置を提供する。【解決手段】球形状等に形成された太陽電池パネル体１２と、該太陽電池パネル体１２と所定の間隔を開けて設けられる湾曲状の乱反射板１３と、該乱反射板１３と前記太陽電池パネル体１２とを保持する保持アーム１４とを少なくとも備える太陽光発電装置１１であって、前記太陽電池パネル体１２は、表面に多数のパネル部材１５、１５…を隣接状態に有すると共に、隣接するパネル部材１５をそれぞれ異なる方向に向けた構成である。【選択図】      図１
2009231315.tif 000002
【特許請求の範囲】
【請求項１】
球形状、楕円体状、円筒形状、又は膨出した函形状に形成された太陽電池パネル体と、該太陽電池パネル体と所定の間隔を開けて設けられる湾曲状の乱反射板と、該乱反射板と前記太陽電池パネル体とを保持する保持アームとを少なくとも備える太陽光発電装置であって、
前記太陽電池パネル体は、表面に多数のパネル部材を隣接状態に有すると共に、隣接するパネル部材をそれぞれ異なる方向に向けた構成であること
を特徴とする太陽光発電装置。
【請求項２】
前記乱反射板は、表面が凹凸状に形成されると共に鏡面加工が施されていること
を特徴とする請求項１に記載の太陽光発電装置。
【請求項３】
前記乱反射板は、パラボラアンテナ状であること
を特徴とする請求項１又は２に記載の太陽光発電装置。
【請求項４】
前記保持アームの端部には、取付部を有すること
を特徴とする請求項１に記載の太陽光発電装置。
【発明の詳細な説明】
【技術分野】
【０００１】
本発明は、太陽光発電装置に関するものであり、更に詳しくは、太陽の光が充分に当たらない場所や狭小な建物の屋根等であっても、太陽の光を効率的に受光できる太陽電池パネル体を備えた、太陽光発電装置に関するものである。
【背景技術】
【０００２】
従来の太陽光発電装置としては、図８（イ）（ロ）に示す構成のものが知られている。この太陽光発電装置は、建物１の南側に傾斜した屋根２の一部又は全部に、平面状の太陽電池パネル３を設置した構成である（特許文献１及び２参照）。
【０００３】
このような構成の太陽光発電装置は、南側からの直射日光を略直角に近い角度で受光することができるので、受光効率が良く、効率的な太陽光発電を行うことができるという利点がある。
【特許文献１】特開２００６−３１７１２８号公報
【特許文献２】特開２００２−２８９９０３号公報
【発明の開示】
【発明が解決しようとする課題】
【０００４】
この従来例の太陽光発電装置においては、南側に傾斜した広い屋根を備えた建物にしか設置できない。つまり、ビルやマンションの個別の区分ごとには、この太陽光発電装置が設置できないという欠点を有している。
【０００５】
また、住宅密集地などで太陽の光が充分に当たらない建物の屋根や、狭小な建物の屋根や屋上では、太陽光の受光効率が悪く、効率的な太陽光発電が期待できないという欠点もある。
【０００６】
従って、従来例における太陽光発電装置においては、ビルやマンションの個別の区分ごとにも設置できるようにすることと、太陽の光が充分に当たらない場所や狭小な建物の屋根等であっても太陽の光を効率的に受光できるようにすることとに解決しなければならない課題を有している。
【課題を解決するための手段】
【０００７】
前記従来例の課題を解決する具体的手段として本発明は、球形状、楕円体状、円筒形状、又は膨出した函形状に形成された太陽電池パネル体と、該太陽電池パネル体と所定の間隔を開けて設けられる湾曲状の乱反射板と、該乱反射板と前記太陽電池パネル体とを保持する保持アームとを少なくとも備える太陽光発電装置であって、前記太陽電池パネル体は、表面に多数のパネル部材を隣接状態に有すると共に、隣接するパネル部材をそれぞれ異なる方向に向けた構成であることを特徴とする太陽光発電装置を提供するものである。
【０００８】
また、前記乱反射板は、表面が凹凸状に形成されると共に鏡面加工が施されている構成としたものであり、そして、前記乱反射板は、パラボラアンテナ状である構成としたものであり、更に、前記保持アームの端部には、取付部を有する構成としたものである。
【発明の効果】
【０００９】
本発明に係る太陽光発電装置は、球形状、楕円体状、円筒形状、又は膨出した函形状に形成された太陽電池パネル体と、該太陽電池パネル体と所定の間隔を開けて設けられる湾曲状の乱反射板と、該乱反射板と前記太陽電池パネル体とを保持する保持アームとを少なくとも備える太陽光発電装置であって、前記太陽電池パネル体は、表面に多数のパネル部材を隣接状態に有すると共に、隣接するパネル部材をそれぞれ異なる方向に向けた構成であることによって、様々な方向から当たる太陽の光を太陽電池パネル体が効率良く受光できる。
つまり、乱反射板に当たった太陽光が乱反射して、太陽電池パネル体の背面側で受光するので、直射日光だけでなく、全ての方向からの太陽光を太陽電池パネル体で受光できて、効率的な太陽光発電がおこなえる。
従って、住宅密集地などで太陽の光が充分に当たらない建物の屋根や、狭小な建物の屋根や屋上であっても、太陽光を効率的に受光できるという優れた効果を奏する。
【００１０】
また、乱反射板は、表面が凹凸状に形成されると共に鏡面加工が施されていることによって、太陽光が乱反射するので、太陽電池パネル体の隅々まで満遍なく太陽光を反射できるという優れた効果を奏する。
【００１１】
そして、乱反射板は、パラボラアンテナ状であることによって、回転放物面から効率良く太陽光を反射できるという優れた効果を奏する。
【００１２】
更に、保持アームの端部には、取付部を有することによって、鉄塔、柱、ベランダの手摺り等の任意の部位に取付部を介して太陽光発電装置を取り付けることができる。つまり、ビルやマンションの個別の区分ごとにも太陽光発電装置を取り付けられるという優れた効果を奏する。
【発明を実施するための最良の形態】
【００１３】
［実施例１］
次に、本発明の実施の形態について図面を参照しながら説明する。まず、図１及び図２に示した第１実施例において、符号１１は太陽光発電装置を示し、この太陽光発電装置１１は、球形状に形成された太陽電池パネル体１２と、この太陽電池パネル体１２と所定の間隔を開けて設けられる湾曲状の乱反射板１３と、この乱反射板１３と太陽電池パネル体１２とを保持する保持アーム１４とから構成される。
【００１４】
太陽電池パネル体１２は、所定大きさの球形状に形成されており、その表面には、多数のパネル部材１５、１５…が隣接した状態に設けられて、全体的に所謂ミラーボール状に形成される。
【００１５】
パネル部材１５は、太陽光を電気エネルギーに変換するための太陽電池を備える（図示せず）。この太陽電池は、ガラス等の透光性を有する基板上に太陽電池からなる複数のソーラーセルを並べて樹脂で固着したものであり、基板を透過した太陽光を電気エネルギーに変換する。
【００１６】
隣接する個々のパネル部材１５は、それぞれ異なる方向に向けて設けられている。従って、様々な方向から照射される太陽の光を太陽電池パネル体１２が効率良く受光することが可能である。
【００１７】
乱反射板１３は、パラボラアンテナ状に形成されている。また、図３に示すように、表面に凹部１６及び凸部１７を有して凹凸状に形成されていると共に、鏡面加工が施されている。このように凹凸状に形成されることにより、照射された太陽光が乱反射することとなり、太陽電池パネル体１２の隅々まで満遍なく太陽光を反射できる。更に、パラボラアンテナ状の回転放物面から効率良く太陽光を反射できる。
【００１８】
保持アーム１４は、その上部１８が太陽電池パネル体１２の下部に接続している。また、保持アーム１４の途中でアーム支柱１９が分岐しており、このアーム支柱１９の先端部２０が乱反射板１３の裏面側に接続している。
【００１９】
保持アーム１４の下部２１には、取付部２２が設けられている。この取付部２２で挟持することで、マンションのベランダの手摺り等に太陽光発電装置１１を取り付けることができる。また、取付部２２の存在によって、手摺りだけでなく、鉄塔、支柱等の任意の部位に太陽光発電装置１１を取り付けることができる。
【００２０】
この太陽光発電装置１１は、図示しない配線が接続されており、この配線がインバーター等を経由して、所定の負荷（蓄電池、照明、電熱器、電動機等）に接続される。
【００２１】
このような構成の太陽光発電装置１１は、乱反射板１３に照射された太陽光が乱反射して、太陽電池パネル体１２の背面側で満遍なく受光するので、正面側の直射日光だけでなく、全ての方向からの太陽光を太陽電池パネル体１２で受光できて、効率的な太陽光発電がおこなえるのである。
【００２２】
［実施例２］
次に、図４に第２実施例を示す。この第２実施例において、前記第１実施例と同一部分には同一符号を付してその詳細は省略する。この太陽光発電装置２３は、太陽電池パネル体２４が楕円体状、つまりラグビーボール形に形成されている。この太陽電池パネル体２４の表面には、多数のパネル部材１５、１５…が隣接した状態に設けられている。
【００２３】
［実施例３］
次に、図５に第３実施例を示す。この第３実施例において、前記第１実施例と同一部分には同一符号を付してその詳細は省略する。この太陽光発電装置２５は、太陽電池パネル体２６が円筒形状、つまり筒形に形成されている。この太陽電池パネル体２６の表面には、多数のパネル部材１５、１５…が隣接した状態に設けられている。
【００２４】
［実施例４］
次に、図６に第４実施例を示す。この第４実施例において、前記第１実施例と同一部分には同一符号を付してその詳細は省略する。この太陽光発電装置２７は、太陽電池パネル体２８が膨出した函形状、所謂枕形に形成されている。この太陽電池パネル体２８の表面には、多数のパネル部材１５、１５…が隣接した状態に設けられている。
【００２５】
太陽光発電装置２７の乱反射板２９は、略長方形状に形成されており、縦方向に沿って湾曲している。また、乱反射板２９の表面は、凹部１６及び凸部１７を有して凹凸状に形成されていると共に、鏡面加工が施されている。
【００２６】
以上のように構成される太陽光発電装置１１、２３、２５、２７は、正面側の直射日光だけでなく、乱反射板１３、２９に照射された太陽光が乱反射して太陽電池パネル体１２、２４、２６、２８の背面側で満遍なく受光できるので、全方向からの太陽光を太陽電池パネル体１２、２４、２６、２８で受光できて、効率的な太陽光発電が行われる。
【産業上の利用可能性】
【００２７】
本発明の太陽光発電装置１１は、住宅密集地などで太陽の光が充分に当たらない建物の屋根、狭小な建物の屋根や屋上、あるいはビルやマンションの個別の区分ごと等への設置に適するが、それ以外にも、図７に示すように、風力発電用の鉄塔３０に太陽光発電装置１１を複数基を設置すれば、クリーンエネルギーの活用がより一層広がることとなる。
【図面の簡単な説明】
【００２８】
【図１】本発明の第１実施例に係る太陽光発電装置１１の斜視図である。
【図２】本発明の第１実施例に係る太陽光発電装置１１の平面図である。
【図３】乱反射板１３の縦断面図である。
【図４】本発明の第２実施例に係る太陽光発電装置２３の斜視図である。
【図５】本発明の第３実施例に係る太陽光発電装置２５の斜視図である。
【図６】本発明の第４実施例に係る太陽光発電装置２７の斜視図である。
【図７】太陽光発電装置１１を設置した鉄塔３０を示す説明図である。
【図８】（イ）（ロ）従来例に係る太陽光発電装置を取り付けた、建物１の斜視図である。
【符号の説明】
【００２９】
１    建物
２    屋根
３    太陽電池パネル
１１  太陽光発電装置
１２  太陽電池パネル体
１３  乱反射板
１４  保持アーム
１５  パネル部材
１６  凹部
１７  凸部
１８  上部
１９  アーム支柱
２０  先端部
２１  下部
２２  取付部
２３  太陽光発電装置
２４  太陽電池パネル体
２５  太陽光発電装置
２６  太陽電池パネル体
２７  太陽光発電装置
２８  太陽電池パネル体
２９  乱反射板
３０  鉄塔
【図１】
2009231315.tif 000003
【図２】
2009231315.tif 000004
【図３】
2009231315.tif 000005
【図４】
2009231315.tif 000006
【図５】
2009231315.tif 000007
【図６】
2009231315.tif 000008
【図７】
2009231315.tif 000009
【図８】
2009231315.tif 000010